(57)【特許請求の範囲】
【請求項１】
本体筐体に、第１電池、第２電池、第３電池の３種類の円筒形電池を収納する電池収納
部と、前記電池収納部に前記各円筒形電池を出し入れする開口部と、前記開口部を覆う蓋
を有する電子機器であって、
前記電池収納部は、前記開口部を介して前記第１電池が収納可能な第１収納空間と、前
記開口部を介して前記第２電池が収納可能で前記第１収納空間より容積が小さい第２収納
空間と、前記第１収納空間と前記第２収納空間に渡って形成されるスリット部と、前記第
３電池を受ける第３電池配置面と前記スリット部に挿入されるアーム部を備える保持部を有し、
前記保持部は、前記スリット部に沿って前記第１収納空間と前記第２収納空間の間を移動可能とされ、
前記第１収納空間に前記第１電池を収納する場合、および、前記保持部に前記第３電池
を収納する場合は、前記保持部は前記第２収納空間に移動され、
前記第２収納空間に前記第２電池を収納する場合は、前記保持部は前記第１収納空間に
移動され、
前記第１収納空間と前記第２収納空間の境目が境界部とされ、
前記アーム部の先端には、同アーム部が前記スリット部から抜けることを防止する抜け
止め部が備えられ、
前記保持部を前記開口部側に引いて前記抜け止め部が前記スリット部に接触させた状態
で前記保持部を前記スリット部に沿って移動させたときに、前記境界部と前記第３電池配置面が干渉しないように前記アーム部と前記抜け止め部が備えられる、
ことを特徴とする電子機器。
【請求項２】
前記保持部は、前記第３電池を押さえる第３電池押さえ部を有し、前記第３電池配置面と前記第３電池押さえ部で前記第３電池を収納する第３電池収納部が形成される
ことを特徴とする請求項１に記載の電子機器。
【請求項３】
前記第３電池押さえ部に、前記第３電池収納部を形成する面と反対側の面から突出する
つまみを有し、
前記保持部が前記第２収納空間に配置されているとき、前記蓋の第２電池押さえ部と前
記つまみが接触するように同つまみが形成されている、
ことを特徴とする請求項２に記載の電子機器。
【発明の詳細な説明】
【技術分野】
【０００１】
本発明は、乾電池や充電池を電源とする電子機器に関する。
【背景技術】
【０００２】
乾電池や充電池から電力を供給されて駆動する電子機器では、円筒形状の乾電池あるいは充電池（以降、円筒形電池と記載する）を使用するものがある。円筒形電池には、単一形（日本工業規格（ＪＩＳ）では、Ｒ２０）、単二形（同、Ｒ１４）、単三形（同、Ｒ６）といった、異なる直径および長さを有するものが存在する。従って、電子機器の電池収納部がいずれか１種類の円筒形電池のみ収納できる構成である場合は、当該電池収納部に収納されている円筒形電池の容量がなくなり、かつ、同じサイズの交換用の円筒形電池もないときは電子機器が使用できなくなる。
【０００３】
特に電子機器のうち、家庭に設置されて市町村の防災無線を受信する防災無線受信機では、交換用の円筒形電池がなくて防災無線受信機で地震や大雨などの災害に関する緊急放送を受信できなくなることは大きな問題である。このような問題を解決するためには、電子機器にサイズの異なる円筒形電池を使用できるようにした電池収納部を備えることで、防災無線が受信できなくなるリスクを低減できる。
【０００４】
上記のようなサイズの異なる円筒形電池を収納できる電池収納部を備えた電子機器としては、例えば特許文献1に記載のものが提案されている。特許文献１に記載の電子機器は、本体筐体の前面下方に配置される乾電池収納部と、この乾電池収納部を覆う電池蓋を有している。また、乾電池収納部に上下方向に回動自在に設けられた第１保持部材を有し、電池蓋に上下方向に回動自在に設けられた第２保持部材を有する。
【０００５】
乾電池収納部には、単一形乾電池を保持する第１保持部と単二形乾電池を保持する第２保持部が設けられている。また、電池蓋には、単一形乾電池を押さえる第１押さえ部と単二形乾電池を押さえる第２押さえ部が設けられている。第１保持部と第１押さえ部で単一形乾電池を収納する領域が形成される。また、第２保持部と第２押さえ部で単二形乾電池を収納する領域が形成される。さらには、第１保持部材と第２保持部材で単三形乾電池を収納する領域が形成される。
【０００６】
以上説明した電池収納部を備えた電子機器では、使用者が単三形乾電池を使用するときは、第１保持部材と第２保持部材で形成される領域に単三形乾電池を収納する。また、使用者が単一形乾電池あるいは単二形乾電池を使用するときは、第１保持部材と第２保持部材を上下いずれかの方向に回動させて、第１保持部と第１押さえ部で形成される領域に単一形乾電池を収納する、あるいは、第２保持部と第２押さえ部で形成される領域に単二形乾電池を収納する。
【先行技術文献】
【特許文献】
【０００７】
【特許文献１】特開２００６−１１４４６０号公報
【発明の開示】
【発明が解決しようとする課題】
【０００８】
特許文献１に記載の電子機器では、上述したように収納する円筒形電池のサイズによって、使用者が第１保持部と第２保持部をいずれかの方向に回動させる必要があり、円筒形電池の収納に手間がかかる。また、使用者が乾電池収納部から取り外した電池蓋を床面等に置くときに第２保持部を下にして置いた場合は、使用者が乾電池収納部に再び電池蓋を取り付ける際に、第２保持部を回動させることを忘れる虞がある。つまり、特許文献１に記載の電子機器は、円筒形電池の収納作業に関し利便性が悪いという問題があった。
【０００９】
本発明は、上記課題に鑑みてなされたものであり、使用者が電池収納部にサイズの異なる円筒形電池を収納する際の利便性を向上させた電子機器を提供することを目的とする。
【課題を解決するための手段】
【００１０】
本発明は上記課題を解決するものであって、本発明の電子機器は、本体筐体に、第１電
池、第２電池、第３電池の３種類の円筒形電池を収納する電池収納部と、電池収納部に各
円筒形電池を出し入れする開口部と、開口部を覆う蓋を有する。電池収納部は、開口部を
介して第１電池が収納可能な第１収納空間と、開口部を介して第２電池が収納可能で第１
収納空間より容積が小さい第２収納空間と、第１収納空間と第２収納空間に渡って形成さ
れるスリット部と、第３電池を受ける第３電池配置面とスリット部に挿入されるアーム部を備える保持部を有する。保持部は、スリット部にアーム部を挿入することでスリット部に沿って第１収納空間と第２収納空間の間を移動可能とされ、第１収納空間に第１電池を収納する場合、および、保持部に第３電池を収納する場合は、保持部は第２収納空間に移動され、第２収納空間に第２電池を収納する場合は、保持部は第１収納空間に移動される。第１収納空間と前記第２収納空間の境目が境界部とされ、保持部のアーム部にはスリット部から抜けることを防止する抜け止め部を有する。保持部を開口部側に引いて抜け止め部がスリット部に接触させた状態で保持部をスリット部に沿って移動させたときに、境界部と第３電池配置面が干渉しないようにアーム部と抜け止め部が備えられる。
【発明の効果】
【００１１】
上記のように構成した本発明の電子機器によれば、電池収納部にサイズの異なる円筒形電池のいずれかを収納する際にも保持部のみを上下に移動させるだけでよいため、使用者が電池収納部に各円筒形電池を収納する際の利便性が向上する。
【図面の簡単な説明】
【００１２】
【図１】本発明の実施形態である電子機器の外観斜視面である。
【図２】図１の要部分解斜視図と電池収納部に収納される各電池を描いた図面である。
【図３】本発明の実施形態における電池収納部を説明する図面であり、（Ａ）は保持部を電池収納部から取り外した状態斜視図、（Ｂ）は（Ａ）において保持部を装着した状態での要部矢視Ｆ図、（Ｃ）は（Ｂ）におけるＸ−Ｘ断面図である。
【図４】本発明の実施形態における、電池収納部の蓋を裏面から見た斜視図である。
【図５】各電池の収納状態を説明する図面であり、（Ａ）は各収納部の説明図、（Ｂ）は第１電池を収納した状態図、（Ｃ）は第２電池を収納した状態図、（Ｄ）は第３電池を収納した状態図である。
【発明を実施するための最良の形態】
【００１３】
以下、本発明の実施の形態を、添付図面に基づいて詳細に説明する。実施形態としては、各家庭に設置されて市町村の防災無線を受信できるものであり、乾電池や充電池を駆動電源とする防災無線受信機を例に挙げて説明する。尚、本発明は、以下の実施形態に限定されることはなく、本発明の主旨を逸脱しない範囲で種々変形することが可能である。
【実施例】
【００１４】
図１に示すように、本実施形態における電子機器１は、各々が合成樹脂材で形成される前面ケース２と背面ケース３が組み合わされてなる箱状の筐体を有している。尚、以降の説明において、必要に応じて前面ケース２側を電子機器１の前面側、背面ケース３側を電子機器１の背面側、前面ケース２を前面側から見た場合の右方向を電子機器１の右側、前面ケース２を前面側から見た場合の左方向を電子機器１の左側と称する。
【００１５】
図２および図３（Ａ）に示すように、前面ケース２の下部には、前面ケース２の右側面の半分を右方に開口するとともに前面ケース２の前面の大部分を前方に開口し後述する電池収納部５に円筒形電池を収納するための開口部２ａが設けられている。また、合成樹脂材で形成されて開口部２ａを覆う蓋４が設けられている。
【００１６】
尚、前面ケース２や背面ケース３には、市町村の防災無線設備や他の電子機器から送信される各種信号を受信するための端子や、電子機器１の機能選択や各種設定を行うための操作部、選択された機能や現在の設定状況を表示する表示部等が設けられている。また、筐体内部には、各種信号を受信する受信部や、操作部の操作に応じた処理を実行し表示部にその結果を表示させる制御部等が設けられている。これらの各装置は、本発明と直接関連がないため、図示と詳細な説明は省略する。
【００１７】
前面ケース２の開口部２ａより筐体内部には、電池収納部５が設けられている。図３（Ｂ）に示すように、電池収納部５は、第１収納空間５ｑと、第２収納空間５ｒと、保持部５ａと、負極端子５ｂと、正極端子５ｃを有する。本実施形態の電子機器１では、電池収納部５に第１電池３０、第２電池４０、第３電池５０の３種類の円筒形電池のいずれかを２本直列に収納できる。尚、第１電池３０は単一形であり、第２電池４０は単二形であり、第３電池５０は単三形である。ここで、各々の円筒形電池のサイズ（長さおよび直径）については、第２電池４０と第３電池５０が同じ長さであり、第１電池３０は第２電池４０および第３電池５０より長い。また、第１電池３０の直径は第２電池４０より大きく、第２電池４０の直径は第３電池５０の直径より大きい。また、電池収納部５を筐体の前面に設けるのは、電子機器１が壁に取り付けられた場合でも電池交換が容易に行えるようにするためである。
【００１８】
第１収納空間５ｑは、第１電池設置面５ｄと、上面５ｇと、第１左面５ｊと、第１右面５ｌで形成される。図３（Ｂ）に示すように、第１収納空間５ｑは、第１収納空間５ｑを前面側から見れば上記各構成部材と第１電池設置面５ｄと後述する第２電池配置面５ｅの接続部である境界部５ｐによって左右方向に長い長方形状となる。
【００１９】
第１左面５ｊには、負極端子５ｂの一方を構成する第１電池用負極端子５ｂａが設けられている。第１右面５ｌには、正極端子５ｃの一方を構成する第１電池用正極端子５ｃａが設けられている。第１収納空間５ｑの左右方向の長さ、つまり、第１左面５ｊと第１右面５ｌの間隔は、第１電池用負極端子５ｂａと第１電池用正極端子５ｃａの第１収納空間５ｑへの突出分を考慮し第１電池３０を２本直列に収納できるようになっている。
【００２０】
図３（Ｃ）に示すように、第１電池配置面５ｄは、断面が円の３分の１の円弧形状を有し第１電池３０の形状に応じた曲面に形成されている。第１電池配置面５ｄの上端は上面５ｇの一端と接続する。上面５ｇは他端が開口部２ａまで水平に延伸するように形成される。第１電池配置面５ｄの下端は第２電池配置面５ｅの上端と接続する。第１電池配置面５ｄと後述する第２電池配置面５ｅの接続部が境界部５ｐとなる。
【００２１】
第２収納空間５ｒは、第２電池配置面５ｅと、下面５ｈと、第２左面５ｋと、第２右面５ｍで形成される。図３（Ｂ）に示すように、第２収納空間５ｒは第１収納空間５ｑの下方に配置され、第２収納空間５ｒを前面側から見れば上記各構成部材と境界部５ｐによって左右方向に長い長方形状となる。
【００２２】
第２左面５ｋには、負極端子５ｂの他方を構成する第２／第３電池用負極端子５ｂｂが設けられている。第２右面５ｍには、正極端子５ｃの他方を構成する第２／第３電池用正極端子５ｃｂが設けられている。第２収納空間５ｒの左右方向の長さ、つまり、第２左面５ｋと第２右面５ｍの間隔は、第２／第３電池用負極端子５ｂｂと第２／第３電池用正極端子５ｃｂの第２収納空間５ｒへの突出分を考慮し第２電池４０または第３電池５０を２本直列に収納できるようになっている。
【００２３】
図３（Ｃ）に示すように、第２電池配置面５ｅは、断面が円の３分の１の円弧形状を有し第２電池４０の形状に応じた曲面に形成されている。第２電池配置面５ｅの下端は下面５ｈの一端と接続する。下面５ｈは他端が開口部２ａまで水平に延伸するように形成される。第２電池配置面５ｅの上端は第１電池配置面５ｄの下端と境界部５ｐで接続する。
【００２４】
以上説明したように、第１収納空間５ｑは第１電池３０の形状に応じた大きさとなっており、第２収納空間５ｒは第２電池４０の形状に応じた大きさとなっている。従って、第１収納空間５ｑの容積は第２収納空間５ｒの容積より大きい。また、境界部５ｐを挟んで第１電池配置面５ｄと第２電池配置面５ｅの両方に渡って、上下方向に延びる２本のスリット５ｆが設けられている。２本のスリット５ｆには、後述する保持部５ａの２本のアーム５ａｃが挿入される。
【００２５】
図３（Ａ）に示すように、保持部５ａは、第３電池配置面５ａａと、第３電池押さえ部５ａｂと、２本のアーム５ａｃと、２個のつまみ５ａｄと、３個の脚部５ａｅを有する。図３（Ｂ）に示すように、保持部５ａの左右方向の長さは、第２収納空間５ｒの左右方向の長さより小さく、かつ、２本の第３電池５０を直列に保持できる長さとされている。また、保持部５ａの高さは、第２収納空間５ｒの高さより小さくされている。
【００２６】
図３（Ｃ）に示すように、第３電池配置面５ａａは、断面が円の４分の１の円弧形状を有し第３電池５０の形状に応じた曲面に形成されている。第３電池押さえ部５ａｂは、第３電池配置面５ａａの下端部中央を起点として断面が円の３分の１の円弧形状を有し第３電池５０の形状に応じた曲面に形成されている。また、図３（Ｂ）に示すように、第３電池押さえ部５ａｂは、第３電池配置面５ａａの左右方向における中央部に設けられている。第３電池押さえ部５ａｂの左右方向の長さは、直列に配置される第３電池５０の正極と負極の接触部を中心として左側の第３電池５０の一部（正極側の端部）と右側の第３電池５０の一部（負極側の端部）を覆う長さとされている。これら第３電池配置面５ａａと第３電池押さえ部５ａｂによって、後に図５（Ａ）および（Ｄ）を用いて説明する第３電池収納部５１が形成される。
【００２７】
図３（Ａ）に示すように、２本のアーム５ａｃは、第３電池配置面５ａａの左右端部より少し中央寄りの箇所から後方に突出するように形成されている。２本のアーム５ａｃの間隔は、第１電池配置面５ｄと第２電池配置面５ｅに設けられた２本のスリット５ｆの間隔に合わせられている。各アーム５ａｃの厚さは、スリット５ｆに挿入されて上下に摺動可能な厚さとされている。つまり、アーム５ａｃをスリット５ｆに挿入しスリット５ｆに沿って保持部５ａを上下に摺動することで、保持部５ａは第１収納空間５ｑと第２収納空間５ｒの間を移動できるようになっている。尚、各スリット５ｆの長さは、保持部５ａが第１収納空間５ｑあるいは第２収納空間５ｒに配置できるように保持部５ａが移動できる長さとされている。
【００２８】
各アーム５ａｃの先端部には抜け止め部５ａｆが設けられている。抜け止め部５ａｆは、断面が三角形状とされてアーム５ａｃの厚さより大きい厚さとされている。従って、保持部５ａをスリット５ｆに沿って上下に摺動させるときに、各アーム５ａｃが各スリット５ｆから抜けることがなく、保持部５ａを安定して上下に摺動させることができる。また、アーム５ａｃの長さや抜け止め部５ａｆの形状は、保持部５ａを上下に摺動させる際に、第３電池配置面５ａａが境界部５ｐに当たらないように定められている。具体的には、図３（Ｃ）に示すように、保持部５ａを前方に引いて抜け止め部５ａｆがスリット５ｆに当たった際に、第３電池配置面５ａａが境界部５ｐに接する垂線であるラインＬより前方に位置するように、アーム５ａｃの長さや抜け止め部５ａｆの形状が定められる。
【００２９】
２個のつまみ５ａｄは、一方のつまみ５ａｄが第３電池押さえ部５ａｂの第３電池５０を押さえる面と反対側の面から前方に突出するように形成されている。また、他方のつまみ５ａｄが一方のつまみ５ａｄより下方から前方に突出するように形成されている。各つまみ５ａｄが前方へ突出している長さは、後に図５（Ｂ）および（Ｄ）を用いて説明するように、保持部５ａを第２収納空間５ｒに配置したときに、蓋４の第２電池押さえ部４ｆに接触する長さとされている。また、各つまみ５ａｄは、使用者が保持部５ａを上下に摺動させるときに手指でつまんで操作する箇所となる。
【００３０】
３個の脚部５ａｅは、第３電池配置面５ａａの左右端部および中央部から下方に突出するように形成されている。図３（Ｃ）に示すように、３個の脚部５ａｅの高さは、保持部５ａを第２収納空間５ｒに配置したときに、第３電池配置面５ａａと第３電池押さえ部５ａｂの間に収納した第３電池５０の負極や正極が、第２／第３電池用負極端子５ｂｂや第２／第３電池用正極端子５ｃｂと接触する高さとされている。
【００３１】
図４に示すように、蓋４は水平方向の断面形状がＬ字形状になるように形成されている。蓋４の裏面４ａには、蓋４の上端から下端に渡って上下方向に延びる４本の第１リブ４ｂと１本の第２リブ４ｃが設けられている。４本の第１リブ４ｂは、蓋４の上端から下端に渡って形成され、蓋４の左側から間隔を空けて並べて配置されている。第２リブ４ｃは、蓋４の上端から下端に渡って形成され、一番右端の第１リブ４ｂの右側に配置されている。
【００３２】
４本の第１リブ４ｂは、各々に第１電池押さえ部４ｄと第２電池押さえ部４ｅを有する。また、第２リブ４ｃは、第１電池押さえ部４ｄのみを有する。各第１電池押さえ部４ｄは、円の４分の１の円弧形状を有し第１電池３０の側面に応じた形状とされている。各第２電池押さえ部４ｅは、円の６分の１の円弧形状を有し第２電池４０の側面に応じた形状とされている。また、各第１リブ４ｂにおいて、第１電池押さえ部４ｄが第２電池押さえ部４ｅの上方に配置されている。つまり、５個の第１電池押さえ部４ｄが第１電池収納空間５ｑに対応する配置とされ、４個の第２電池押さえ部４ｅが第２電池収納空間５ｒに対応する配置とされている。
【００３３】
以上説明した電池収納部５に蓋４を装着すると、図５（Ａ）に示す状態となる。ここで、図５（Ａ）は、図３（Ｃ）の電池収納部５の断面図に蓋４の断面図（第１リブ４ｂが見える箇所での断面図）を組み合わせた図面である。また、図５（Ａ）では、保持部５ａが第２収納空間５ｒに配置されている場合を図示している。
【００３４】
図５（Ａ）に示すように、電池収納部５の第１電池配置面５ｄと蓋４の第１電池押さえ部４ｄで、第１電池３０を収納する第１電池収納部３１が形成される。第１電池収納部３１は、電池収納部５の第１収納空間５ｑに形成される。また、電池収納部５の第２電池配置面５ｅと蓋４の第２電池押さえ部４ｅで、第２電池４０を収納する第２電池収納部４１が形成される。第２電池収納部４１は、電池収納部５の第２収納空間５ｒに形成される。そして、保持部５ａの第３電池配置面５ａａと第３電池押さえ部５ａｂで、第３電池５０を収納する第３電池収納部５１が形成される。
【００３５】
第１電池収納部３１と第２電池収納部４１は、図５（Ａ）に示す領域Ｒで一部が重なり合うように形成されている。また、保持部５ａが第２収納空間５ｒに配置されているとき、保持部５ａの２個のつまみ５ａｄが蓋４の第２電池押さえ部４ｅと接触する。
【００３６】
次に、第１電池３０、第２電池４０、第３電池５０の各々の電池収納部５への収納作業について、図５（Ｂ）乃至図５（Ｄ）を用いて説明する。まずは、第１電池３０を電池収納部５へ収納する際について図５（Ｂ）を用いて説明し、以降は第２電池４０、第３電池５０の順に電池収納部５へ収納する際について図５（Ｃ）、図５（Ｄ）を用いて説明する。
＜第１電池３０の収納＞
【００３７】
第１電池３０を電池収納部５へ収納するときは、まず、蓋４を前面ケース２から取り外す。次に、保持部５ａのつまみ５ａｄをつまんで保持部５ａを第２収納領域５ｒに移動させる。次に、２本の第１電池３０を直列にして第１収納空間５ｑに挿入し、第１電池３０の側面を第１電池配置面５ｄに当てて、蓋４を閉じる。
【００３８】
蓋４を閉じると、蓋４の第１電池押さえ部４ｄによって第１電池３０の側面が押さえられる。このようにして、図５（Ｂ）に示すように、第１電池３０が第１電池収納部３１に収納される。第１電池３０が第１電池収納部３１に収納されると、直列に収納された第１電池３０のうちの左側の第１電池３０の負極が第１電池用負極端子５ｂａと接触する。また、右側の第１電池３０の正極が第１電池用正極端子５ｃａと接触する。これにより、２本の第１電池３０から電子機器１に電力が供給される。
【００３９】
以上説明した第１電池３０の収納作業において、第１電池３０の側面を第１電池配置面５ｄに当てて第１電池３０を第１収納空間５ｑに配置してから蓋４を閉じるまでの間は、第２収納領域５ｒに配置されている保持部５ａの第３電池配置面５ａａの上端と第３電池押さえ部５ａｂの上端で第１電池３０を支持できるので、第１電池３０の収納作業が簡単に行える。
【００４０】
また、誤って保持部５ａで形成される第３電池収納部５１に第３電池５０を収納した状態で、第１電池収納部３１に第１電池３０を収納しようとしても、図５（Ａ）に示すように、第１電池収納部３１と第２電池収納部４１が重なり合う領域Ｒがあるため、側面第１電池３０の側面が第３電池５０の側面とぶつかって第１電池３０を第１収納空間５ｑに挿入できない。これにより、第１電池３０と第３電池３０が同時に収納されることを防止できる。
＜第２電池４０の収納＞
【００４１】
第２電池４０を電池収納部５へ収納するときは、まず、蓋４を前面ケース２から取り外す。次に、保持部５ａのつまみ５ａｄをつまんで保持部５ａを第１収納領域５ｑに移動させる。次に、２本の第２電池４０を直列にして第２収納空間５ｒに挿入し、第２電池４０の側面を第２電池配置面５ｅに当てて、蓋４を閉じる。
【００４２】
蓋４を閉じると、蓋４の第２電池押さえ部４ｅによって第２電池４０の側面が押さえられる。このようにして、図５（Ｃ）に示すように、第２電池４０が第２電池収納部４１に収納される。第２電池４０が第２電池収納部４１に収納されると、直列に収納された第２電池４０のうちの左側の第２電池４０の負極が第２／第３電池用負極端子５ｂｂと接触する。また、右側の第２電池４０の正極が第２／第３電池用正極端子５ｃｂと接触する。これにより、２本の第２電池４０から電子機器１に電力が供給される。
【００４３】
以上説明した第２電池４０の収納作業において、第２電池４０の側面を第２電池配置面５ｅに当ててから蓋４を閉じるまでの間は、第２収納領域５ｒを形成する下面５ｈで第２電池４０を支持できるので、第２電池４０の収納作業が簡単に行える。尚、必要であれば、第２電池４０を第２収納空間５ｒに挿入した後に保持部５ａを下方にスライドさせて保持部５ａの３個の脚部５ａｅで第２電池４０の側面を押さえてもよい。
【００４４】
また、誤って保持部５ａで形成される第３電池収納部５１に第３電池５０を収納した状態で、第２電池収納部３２に第２電池４０を収納しても、図５（Ｃ）に示すように、保持部５ａが第１収納領域５ｑに配置されているため、第３電池５０の負極や正極が第１電池用負極端子５ｂａや第１電池用正極端子５ｃａと接触することがない（第３電池５０は第１電池３０より長さが短いため）。従って、仮に電池収納部５に第２電池４０と第３電池５０が同時に収納されても、第３電池５０から電子機器１へ電力が供給されない。そのため、予備の電池として第３電池５０を第３電池収納部５１に収納しておいてもよい。
＜第３電池５０の収納＞
【００４５】
第３電池５０を電池収納部５へ収納するときは、まず、蓋４を前面ケース２から取り外す。次に、保持部５ａのつまみ５ａｄをつまんで保持部５ａを第２収納領域５ｒに移動させる。次に、２本の第３電池５０を直列にして保持部５ａの第３電池配置面５ａａと第３電池押さえ部５ａｂで形成される第３電池収納部５１に収納する。このとき、図５（Ｄ）に示すように、第３電池配置面５ａａの上端部と第３電池押さえ部５ａｂの上端部の間の間隔は、第３電池５０の直径より小さいので、第３電池５０を第３電池収納部５１に収納する際は、第３電池収納部５１に対し左右方向から第３電池５０を挿入するか、第３電池配置面５ａａあるいは第３電池押さえ部５ａｂを弾性変形させて、第３電池５０を第３電池収納部５１に収納すればよい。
第３電池５０の第３電池収納部５１への収納が完了すれば、蓋４を閉じる。
【００４６】
図５（Ｄ）に示すように、第３電池５０が第３電池収納部５１に収納されると、保持部５ａの２個のつまみ５ａｄが蓋４の第２電池押さえ部４ｅと接触する。これにより、保持部５ａが第２収納空間５ｒに位置決めされて、直列に収納された第３電池５０のうちの左側の第３電池５０の負極が第２／第３電池用負極端子５ｂｂと接触する。また、右側の第３電池５０の正極が第２／第３電池用正極端子５ｃｂと接触する。これにより、２本の第３電池５０から電子機器１に電力が供給される。
【００４７】
以上説明した第３電池５０の収納作業において、第３電池５０の収納後に第１収納空間５ｑに第１電池３０を挿入しようとしても、図５（Ａ）に示すように、第１電池収納部３１と第２電池収納部４１が重なり合う領域Ｒがあるため、第３電池５０の側面に第１電池３０の側面がぶつかって第１電池３０を第１収納空間５ｑに挿入できない。これにより、第１電池３０と第３電池３０が同時に収納されることを防止できる。
【００４８】
尚、以上説明した各電池の電池収納部５へ収納作業において、第１電池３０と第２電池４０のいずれか一方の電池を収納しているときは、他方の収納空間に保持部５ａが配置されているので、第１電池３０と第２電池４０の同時挿入は発生しない。また、第３電池５０を収納しているときは、第１収納空間５ｑに第２電池４０を挿入することは可能であるが、前述したように第１収納空間５ｑは第１電池３０の形状に応じた大きさとされているので、第１収納空間５ｑに第２電池４０を挿入したとしても、第２電池４０の負極や正極が第１電池用負極端子５ｂａや第１電池用正極端子５ｃａと接触することがない。従って、仮に電池収納部５に第２電池４０と第３電池５０が同時に収納されても、第３電池５０から電子機器１へ電力が供給されない。そのため、予備の電池として第３電池５０を第３電池収納部５１に収納しておくことができる。
【００４９】
以上説明したように、本発明の電子機器１では、電池収納部５の保持部５ａを上下に移動させるのみで、３種類の大きさの異なる電池の収納に対応できる。従って、使用者が電池収納部５に電池を収納する際の利便性が向上する。また、可動部材が保持部５ａのみであるため、構造が簡単となって故障が発生しにくくなり、部品コストも低減できる。
【符号の説明】
【００５０】
１  電子機器本体
２  前面ケース
２ａ  開口部
３  背面ケース
４  蓋
４ａ  裏面
４ｂ  第１リブ
４ｃ  第２リブ
４ｄ  第１電池押さえ部
４ｅ  第２電池押さえ部
５  電池収納部
５ａ  保持部
５ａａ  第３電池配置面
５ａｂ  第３電池押さえ部
５ａｃ  アーム
５ａｄ  つまみ
５ａｅ  脚部
５ａｆ  抜け止め部
５ｂ  負極端子
５ｂａ  第１電池用負極端子
５ｂｂ  第２／第３電池用負極端子
５ｃ  正極端子
５ｃａ  第１電池用正極端子
５ｃｂ  第２／第３電池用正極端子
５ｄ  第１電池配置面
５ｅ  第２電池配置面
５ｆ  スリット
５ｇ  上面
５ｈ  下面
５ｊ  第１左面
５ｋ  第２左面
５ｌ  第１右面
５ｍ  第２右面
５ｐ  境界部
５ｑ  第１収納空間
５ｒ  第２収納空間
３０  第１電池
３１  第１電池収納部
４０  第２電池
４１  第２電池収納部
５０  第３電池
５１  第３電池収納部
【図１】
0006746975.tif 000002
【図２】
0006746975.tif 000003
【図３】
0006746975.tif 000004
【図４】
0006746975.tif 000005
【図５】
0006746975.tif 000006